(57)【要約】【課題】  本発明は加飾樹脂層による縦ストライプ模様の形成位置をダイナミックに変化させたダイレクトブロー成形によるブロー成形容器、そしてその成形方法を創出することを課題とするものである。【解決手段】  ダイレクトブロー成形法による合成樹脂製のブロー成形容器であって、主材樹脂による基体層に縦帯状の加飾樹脂層を積層した積層構造を有し、この加飾樹脂層を、所定高さ領域において、容器の中心軸に沿ってその中心角度位置を螺旋状に変位させた状態で形成し、この加飾樹脂層により、直線部と湾曲部を有する縦ストライプ模様を現出する。【選択図】図１
2010005990.tif 000002
【特許請求の範囲】
【請求項１】
ダイレクトブロー成形法による合成樹脂製のブロー成形容器であって、主材樹脂による基体層(11)に縦帯状の加飾樹脂層(12)を積層した積層構造を有し、所定高さ領域において前記加飾樹脂層(12)を、前記容器の中心軸に沿って中心角度位置を螺旋状に変位させた状態で形成し、該加飾樹脂層(12)により、直線部と湾曲部を有する縦ストライプ模様(M)を現出する構成としたブロー成形容器。
【請求項２】
加飾樹脂層(12)を周方向に複数、並列状に積層した請求項１記載のブロー成形容器。
【請求項３】
加飾樹脂層(12)が、右回りの螺旋状に変位した部分と左回りの螺旋状に変位した部分を連結状にした部分を有するものとした請求項１または２記載のブロー成形容器。
【請求項４】
口筒部と筒状の胴部と底部を有するブロー成形容器の成形方法であり、共押出成形により筒状の主材樹脂製の基体層に縦帯状の加飾樹脂層を積層した積層構造を有する筒状のパリソンを成形し、該パリソンをブロー金型内でブロー成形し、該ブロー成形による成形品を熱変形可能な温度範囲で前記ブロー金型から離型し、該離型後の成形品(21)に対して、該成形品(21)の所定高さ位置間で該成形品(21)の中心軸(Ax)を軸として「ひねり」変位を与え、該「ひねり」変位に伴なって、前記所定高さ位置間において、前記加飾樹脂層を前記中心軸(Ax)に沿って中心角度位置を螺旋状に変位させた状態で形成することを特徴とする成形方法。
【請求項５】
離型後の成形品(21)の口筒部(22)と底部(25)に付着しているバリ部(26a,26b)を利用して前記成形品(21)を支持し、前記口筒部(22)と底部(25)の間に「ひねり」変位を与える請求項４記載の成形方法。
【請求項６】
右回り方向の「ひねり」変位と、左回り方向の「ひねり」変位を交互に与える請求項４または５記載の成形方法。
【請求項７】
口筒部と筒状の胴部と底部を有するブロー成形容器の成形方法であり、共押出成形により筒状の主材樹脂製の基体層(42)に縦帯状の加飾樹脂層(43)を積層した積層構造を有する筒状のパリソン(41)を押出し成形し、該パリソン(41)の押出し成形中、若しくは押出し成形後に、該パリソン(41)の所定高さ位置間で該パリソン(41)の中心軸(Ax)を軸として「ひねり」変位を与え、該「ひねり」変位に伴なって、前記所定高さ位置間において、前記加飾樹脂層(43)を前記中心軸(Ax)に沿って中心角度位置を螺旋状に変位させた状態で形成し、前記「ひねり」変位した状態のパリソン(41)をブロー金型内でブロー成形することを特徴とする成形方法。
【発明の詳細な説明】
【技術分野】
【０００１】
本発明はダイレクトブロー成形方法により成形され、縦帯状の加飾樹脂層を積層したブロー成形容器と、その成形方法に関する。
【背景技術】
【０００２】
合成樹脂ブロー成形容器は従来より種々の用途に使用されているが、特に容器の加飾性が商品力の大きな部分を占める化粧料用、シャンプー用等の容器においては、塗装、印刷、ラベルの貼付等により加飾性を発揮させ、他社製品と差別化するようにしている。
【０００３】
ここで、ダイレクトブロー成形方法は、特許文献１に示されているように、押出し機から押し出された筒状のパリソンを、ブロー金型の一対の割り金型で挟み込み、この挟み込んだパリソンを容器にブロー成形するが、
このパリソン押出成形時に色違いの合成樹脂を共押出して容器本体自体を加飾する方法も各種試みられている。
たとえば、主材樹脂層に色違いの加飾樹脂層を積層した多層パリソンにより、様々な態様で加飾することができ、円筒状の主材樹脂層に縦帯状の加飾樹脂層を積層することにより、壜体の縦方向に直線状にストライプ模様を現出させることができる。
【特許文献１】特願平０７−２１４６５３号公報
【発明の開示】
【発明が解決しようとする課題】
【０００４】
ここで、壜体に形成される直線状の縦ストライプ模様は、幅の異なるストライプを複数組み合わせる、さらには色違いのストライプを組み合わせることにより、加飾のバリエーションを広げることができるが、模様のダイナミックな変化という点では限界がある。
【０００５】
本発明の課題は、加飾樹脂層による縦ストライプ模様の形成位置をダイナミックに変化させたダイレクトブロー成形によるブロー成形容器、そしてその成形方法を創出することを課題とするものである。
【課題を解決するための手段】
【０００６】
上記課題を解決する本発明の手段の中、ブロー成形容器に係る主たる構成は、
ダイレクトブロー成形法による合成樹脂製のブロー成形容器であって、
主材樹脂による基体層に縦帯状の加飾樹脂層を積層した積層構造を有し、この加飾樹脂層を、所定高さ領域において、容器の中心軸に沿ってその中心角度位置を螺旋状に変位させた状態で形成し、
この加飾樹脂層により、直線部と湾曲部を有する縦ストライプ模様を現出する、と云うものである。
【０００７】
上記主たる構成により、加飾樹脂層を、所定高さ領域において、容器の中心軸に沿ってその中心角度位置を螺旋状に変位させた状態で形成することにより、この加飾樹脂層により、今までにない直線部と湾曲部を有する縦ストライプ模様を現出することができる。
【０００８】
上記構成において、基体層は容器としての機械的な強度を発揮すると共に、現出されるストタイプ模様の色調のベースとなるものであり、現出させるストライプ模様の色調に応じて、無着色とすることもできるし、着色して使用することもできる。ここで、加飾樹脂層は、基体層の外側、内側、さらには中間層として基体層に積層することができるが、基体層の内側や、中間層として積層する場合には基体層は透明性、あるいは半透明性とする必要がある。
【０００９】
加飾樹脂層は、たとえば金属光沢を有するフィラー、パール状の光散乱効果を有するフィラー等を分散することにより、色調の他にも様々な視覚効果を発揮させることができる。
なお、１本の加飾樹脂層についてみると、縦方向にこの加飾樹脂層の厚さを変化させることにより、縦方向に色調をグラデーション状に変化させながら縦ストライプ模様を現出させることもできる。
【００１０】
本発明のブロー成形容器に係る他の構成は、上記主たる構成に加えて、加飾樹脂層を周方向に複数、並列状に積層する、と云うものである。
【００１１】
縦帯状の加飾樹脂層の形成本数は１本でもよいが、上記構成にあるように周方向に複数、並列状に積層することにより、複数の縦ストライプで模様を構成することができる。また、色調をそれぞれの加飾樹脂層によって変化させることができ、周方向に横幅や色調を順次変化させていく等、さらに高度な加飾性を発揮させることができる。
【００１２】
本発明のブロー成形容器に係るさらに他の構成は、上記主たる構成に加えて、
加飾樹脂層が、右回りの螺旋状に変位した部分と左回りの螺旋状に変位した部分を連結状にした部分を有する、と云うものである。
【００１３】
上記構成により、湾曲方向を左右に連続的に変化させることにより、よりダイナミックな縦ストライプ模様を現出させることができる。
【００１４】
次に、本発明の成形方法について説明する。
本発明の成形方法は、上記説明した本発明のブロー成形容器を成形可能とするものであり、その主たる方法の一つは、
口筒部と筒状の胴部と底部を有するブロー成形容器の成形方法であり、次のような（１）〜（３）の工程から成る。
（１）共押出成形により筒状の主材樹脂製の基体層に縦帯状の加飾樹脂層を積層した積層構造を有する筒状のパリソンを成形する。
（２）このパリソンをブロー金型内でブロー成形する。
（３）このブロー成形による成形品を熱変形可能な温度範囲でブロー金型から離型し、この離型後の成形品に対して、この成形品の所定高さ位置間でこの成形品の中心軸を軸として「ひねり」変位を与え、この「ひねり」変位に伴なって、所定高さ位置間において、加飾樹脂層を中心軸に沿って中心角度位置を螺旋状に変位させた状態で形成する。（以下、この工程を「ひねり」工程と記す。）
【００１５】
上記方法、特に「ひねり」工程により、
ブロー成形による成形品を熱変形可能な温度範囲でブロー金型から離型し、この離型した成形品に対して、この成形品の所定高さ位置間で、成形品の中心軸を軸として所定の中心角度で「ひねり」変位を与することにより、この「ひねり」変位に伴なって、所定高さ位置間において、加飾樹脂層を中心軸に沿って中心角度位置を螺旋状に変位させた状態で形成することができる。
【００１６】
ここで、離型後の成形品は熱変形可能な温度範囲ではあるものの、ダイレクトブロー成形に使用する合成樹脂の溶融粘度が比較的高く、またブロー金型である程度冷却しているので、合成樹脂の粘弾性的な性質、特にはゴム状弾性域の性質が十分発揮され、上記のように「ひねり」変位を付与しても筒状の成形品の形状を十分保持することが可能である。
【００１７】
また、たとえば高さ位置Ｈ１で容器を支持固定して、他の高さ位置Ｈ２で中心軸回りに成形品を回動させて「ひねり」変位を与えると、上記した樹脂の粘弾性的な性質により両高さ位置間で均等に変位が発生するわけではなく、高さ位置Ｈ１では変位の発生に関して時間的な遅れが発生し、その結果、高さ位置Ｈ２近傍では螺旋状に湾曲するが、高さ位置Ｈ１近傍では直線状のままとなる。
そして、「ひねり」変位を付与する際の成形品の温度や、「ひねり」変位を付与する速度により粘弾性効果を制御することができ、たとえばブロー金型の金型温度を、底部の冷却を強くする等、領域に分けて制御することにより、成形品のどの部位を大きく変位させるかの制御が可能となる。
【００１８】
本発明の他の成形方法は、上記主たる方法において、離型後の成形品の口筒部と底部に付着しているバリ部を利用してこの成形品を支持し、口筒部と底部の間に「ひねり」変位を与える、と云うものである。
【００１９】
上記方法によれば、成形品完成時には除去される不用成形部分であるバリ部を利用して、胴部を「ひねり」変位させるための外力の作用部分としているので、この「ひねり」のための外力による「作用痕」が生じたとしても、この「作用痕」による不良品の発生はない。
【００２０】
なお、「ひねり」変位のための支持部分は、上記のようなバリ部に特定されると云うことはなく、離型後の成形品の一部（例えば口筒部や底部）であっても良いし、バリ部と離型後の成形品の一部を同時に支持しても良く、さらには、胴部の所定高さ位置を支持部分とすることもできる。
【００２１】
本発明のさらに他の成形方法は、上記主たる方法において、右回り方向の「ひねり」変位と、左回り方向の「ひねり」変位を交互に与える、と云うものである。
【００２２】
上記方法によれば、加飾樹脂層において、所定高さ領域において、右回りの螺旋状に湾曲した部分と左回りの螺旋状に湾曲した部分を縦方向に連結状に形成することができ、湾曲方向を左右に連続的に変化させることにより、よりダイナミックな縦ストライプ模様を現出させることができる。
【００２３】
本発明の成形方法に係る、もう一つの主たる方法は、これも前述した本発明のブロー成形容器を成形可能とするもので、積層パリソンの共押出し成形の段階で「ひねり」変位を付与するものであり、口筒部と筒状の胴部と底部を有するブロー成形容器の成形方法で、次のような（１）〜（３）の工程から成る。
（１）共押出成形により筒状の主材樹脂製の基体層に縦帯状の加飾樹脂層を積層した積層構造を有する筒状のパリソンを成形する。
（２）パリソンの押出し成形中、若しくは押出し成形後に、このパリソンの所定高さ位置間で中心軸を軸として「ひねり」変位を与え、この「ひねり」変位に伴なって、所定高さ位置間において、加飾樹脂層を中心軸に沿って中心角度位置を螺旋状に変位させた状態で形成する。
（３）上記工程で「ひねり」変位した状態のパリソンをブロー金型内でブロー成形する。
【００２４】
上記方法、（２）の「ひねり」工程により、パリソンの中心軸を軸として所定の中心角度で「ひねり」変位を付与することにより、この「ひねり」変位に伴なって、所定高さ位置間において、加飾樹脂層を中心軸に沿って中心角度位置を螺旋状に変位させた状態で形成することができ、この変位した状態でパリソンをブロー金型内でブロー成形した容器では、加飾樹脂層により直線部と湾曲部を有する縦ストライプ模様を現出させることができる。
【００２５】
ここで、押出し成形中、若しくは押出し成形後のパリソンは高温で溶融状態にあるが、ブロー成形後の成形品に比較して全体的に直線円筒状で厚肉であるので「ひねり」変位の支点をしっかり確保することができると共に、「ひねり」変位により若干筒状の形状に変形が発生したとしても、次のブロー成形工程でその変形を修正できる、と云う利点を有する。
【発明の効果】
【００２６】
本発明のブロー成形容器およびその成形方法は上記した構成、方法のものであり、本発明のブロー成形容器に係る主たる構成を有するものにあっては、
加飾樹脂層を、容器の中心軸に沿ってその中心角度位置を螺旋状に変位させた状態で形成することにより、この加飾樹脂層により直線状部と湾曲部を有する今までにない縦ストライプ模様を現出することができる。
【００２７】
本発明の主たる成形方法にあっては、ブロー成形による成形品を熱変形可能な温度範囲でブロー金型から離型し、この離型後の成形品に対して、所定高さ位置間で、成形品の中心軸を軸として所定の中心角度で「ひねり」変位を与することにより、合成樹脂の粘弾性的な性質を利用して、この「ひねり」変位に伴なって、加飾樹脂層を中心軸に沿って中心角度位置を螺旋状に変位させた状態で形成することができる。
【００２８】
本発明のもう一つの主たる成形方法にあっては、パリソンの段階で「ひねり」変位を与えるものであり、全体的に直線円筒状で厚肉であるので「ひねり」変位の支点をしっかり確保することができると共に、「ひねり」変位により若干筒状の形状に変形が発生したとしても、次のブロー成形工程でその変形を修正できる、と云う利点を有する。
【発明を実施するための最良の形態】
【００２９】
以下、本発明の実施形態を実施例に沿って図面を参照しながら説明する。
図１は本発明の合成樹脂製ブロー成形容器の一実施例を示す全体斜視図であり、図２（ａ）は図１のＡ−Ａ線、（ｂ）はＢ−Ｂ線に沿って示す図１の容器の平断面図ある。
この容器１は口筒部２、肩部３、円筒状の胴部４そして底部５から成っている。
【００３０】
また、容器１は図２に示されるように、成形性、機械的性質、耐薬品性等の基本的な機能を担う基体層１１の外側に、全高さ範囲に亘って、周方向に、２本、並列状に縦帯状の加飾樹脂層１２が積層しており、これら基体層１１と加飾樹脂層１２は着色の色調は異なるが、いずれもポリプロピレン（以下、ＰＰと記す。）樹脂製である。
【００３１】
そして、図１に示されるように２本の縦帯状の加飾樹脂層１２は、口筒部２から胴部４の略中央高さ位置に至る高さ領域ｈ１では直線状に、その下の高さ領域ｈ２では、大きく湾曲して積層しており、これら２本の加飾樹脂層１２により、直線部と湾曲部を有する変化に富んだ縦ストライプ模様Ｍが現出している。
ここで、直線部である高さ領域ｈ１では図２（ａ）に示されるように２本の加飾樹脂層１２はそれぞれ一定の中心角度位置ＴＨａ１、ＴＨａ２に形成されているが、湾曲部である高さ領域ｈ２では、加飾樹脂層１２の形成される中心角度位置は、容器１の中心軸に沿って螺旋状に変位しており、湾曲の頂点であるＢ−Ｂ線部分では図２（ｂ）に示されるように中心角度位置ＴＨｂ１、ＴＨｂ２に形成されている。
【００３２】
ここで、高さ領域ｈ２では上記したように加飾樹脂層１２の形成される中心角度位置は、容器１の中心軸に対して螺旋状に変位しているが、その上部では底部６底面方向から見て左回りに、下部では逆に右周りに変位している。
【００３３】
次に、図１、２に示す本発明の容器１を成形するための、本発明の成形方法は次のような工程（１）〜（３）から成る。
（１）共押出成形により円筒状の主材樹脂製の基体層に縦帯状の加飾樹脂層を積層した積層構造を有する円筒状のパリソンを成形する。
（２）パリソンをブロー金型内でブロー成形する。
（３）ブロー成形による成形品を熱変形可能な温度範囲でブロー金型から離型し、この成形品に対して、成形品の所定高さ位置間で成形品の中心軸を軸として所定の中心角度で「ひねり」変位を与え、この「ひねり」変位に伴なって、加飾樹脂層を中心軸に沿ってその中心角度位置を螺旋状に変位させた状態で形成する。（以下、この工程を「ひねり｝工程と記す。）
【００３４】
図３は上記「ひねり」工程の一例を説明するためのもので、（ａ）はブロー金型から離型した後の成形品の（ａ）正面図と、（ｂ）底面図であり、この成形品２１は図１の容器１と略同様の形状で、口筒部２２、肩部２３、円筒状の胴部２４、底部２５を有し、さらに口筒部２２から肩部２３にかけての部分、および底部２５の下側にそれぞれ、ブロー金型からはみ出したバリ部２６ａ、２６ｂが肉薄な破断部を介して付着している。
また、基体層３１の外側に２本の縦帯状の加飾樹脂層３２が中心軸Ａｘに沿って直線状に積層している。
【００３５】
この成形品２１は、ブロー金型から離型後の熱変形可能な温度となっていて、上下の両バリ部２６ａ、２６ｂを利用して支持部を構成してこの成形品２１を上下２箇所で支持し、中心軸Ａｘを軸として所望の中心角度の「ひねり」変位を与える。
本実施例では、口筒部２２近傍の支持部を固定した状態で底部２５近傍の支持部を、図３（ｂ）中の白抜き矢印で示されるように、底面からみて、まず左回りに３０°、次に右回り３０°戻すように回動するようにして「ひねり」変位を与えている。
【００３６】
ここで、離型後の成形品２１は熱変形可能な温度範囲ではあるものの、ダイレクトブロー成形に使用する合成樹脂の溶融粘度が比較的高いこと、またブロー金型である程度冷却しているので、合成樹脂の粘弾性的な性質、特にはゴム状弾性域の性質が十分発揮され上記のように３０°程度の「ひねり」変位を付与しても円筒状の成形品２１の形状を十分保持することができる。
【００３７】
また、同様に離型後の成形品２１の粘弾性的な性質により、回動変位を付与した部分から離れた部分が変位するのに時間的な遅れがあるため、所定の高さ間で両端を支持して「ひねり」変位を付与しても、この高さ間で変位が均一に発生することはない。
従って、上記実施例のように底部２５近傍を中心軸回りに回動変位させて「ひねり」変位を付与した際には、胴部２４の上部より上方へは変位が伝わることなく、図１の容器１のように高さ領域ｈ１では加飾樹脂層１２は直線状のままとなる。
【００３８】
さらに、上記した「ひねり」工程のように左回りに３０°、次に右回り３０°というように変位を逆方向に連続して付与する場合には、逆方向の変位に係る粘弾性的な性質による時間的な遅れ効果が重なって、その結果図１の容器１に見られるようにＢ−Ｂ線の部分で中心角度位置に係る変位が最も大きくなる。
以上説明したように、本発明の成形方法の中の「ひねり」工程は合成樹脂の粘弾性的な性質を利用するものであり、樹脂温度や、変位の大きさ、変位を付与する速度（すなわち時間効果）を選択することによりさまざまな態様で縦ストライプ模様を現出させることができる。
【００３９】
ここで、本発明の、直線部と湾曲部を有する縦ストライプ模様を現出するブロー成形容器は、積層パリソンの共押出し成形の段階で「ひねり」変位を付与し、このように「ひねり」変位を付与した積層パリソンをブロー成形することによっても成形することが可能である。
【００４０】
図４は上記した成形方法において、共押出し成形の段階で積層パリソンに「ひねり」変位を付与する「ひねり」工程の一例を示す概略説明図であり、型開きしたブロー金型５２の間に、円筒状の主材樹脂製の基体層４２に縦帯状の加飾樹脂層４３を積層した積層構造を有する筒状のパリソン４１を共押出し成形し、
ダイス５１で上端部を支持固定し、下端部を支持しながら白抜き矢印で示されるようにパリソン４１の中心軸Ａｘを軸として「ひねり」変位を与えることができる。そして、このように「ひねり」変位した状態のパリソン４１をブロー金型５２内でブロー成形することにより直線部と湾曲部を有する縦ストライプ模様を現出するブロー成形容器を提供することができる。
なお、パリソン４１の押出成形は図４に示すようなダイス５１から下方に向けて押出す様式に限定されるものではないが、それぞれのパリソンの押出成形様式に対応して適宜にパリソンを支持することにより「ひねり」変位を付与することができる。
【００４１】
以上、実施例に沿って本発明の実施の形態を説明したが、本発明の作用効果はこれら実施例に限定されものではない。
たとえば、上記実施例では基材層の外側に加飾樹脂層を積層する例を説明したが、基材層を透明、あるいは半透明性とすれば加飾樹脂層を基材層の間に中間層として積層することもできる。
また本実施例では加飾樹脂層を２本としたが、全周方向に亘って多数の加飾樹脂層を並列形成するともでき、多数の加飾樹脂層の幅や色調をそれぞれ変えることもできる。
【００４２】
また、離型後の成形品の「ひねり」工程の例のように、バリ部を利用した成形品の支持は比較的容易にできるものであるが、成形品内を加圧する、あるいは適宜の治具を使用することにより胴部で支持することもできる。
また、上記例では左回りに３０°、次に右回り３０°と云うように逆方向に連続して「ひねり」変位を付与したが、一方向だけでもよいし、連続して、あるいは、一定時間を挟んで数回変位を付与することもできる。
【産業上の利用可能性】
【００４３】
本発明の成形方法による本発明のブロー成形容器は、直線部と湾曲部により今までにないダイナミックな変化を有する縦ストライプ模様で加飾して他社製品と差別化することができ、化粧料用、シャンプー用等の容器において幅広い用途展開ができるものと期待される。
【図面の簡単な説明】
【００４４】
【図１】本発明のブロー成形容器の一実施例を示す全体斜視図である。
【図２】（ａ）は図１のＡ−Ａ線、（ｂ）はＢ−Ｂ線に沿って示す図１の容器の平断面図ある。
【図３】本発明の成形方法例の説明に供する、離型後の成形品の（ａ）正面図と（ｂ）底面図である。
【図４】本発明の他の成形方法例の説明に供する概略説明図である。
【符号の説明】
【００４５】
１  ；容器
２  ；口筒部
３  ；肩部
４  ；胴部
５  ；底部
１１；基体層
１２；加飾樹脂層
２１；（離型後の）成形品
２２；口筒部
２３；肩部
２４；胴部
２５；底部
２６ａ；（口筒部の）バリ部
２６ｂ；（底部の）バリ部
３１；基体層
３２；加飾樹脂層
４１；パリソン
４２；基体層
４３；加飾樹脂層
５１；ダイス
５２；ブロー金型
Ａｘ；中心軸
ｈ１、ｈ２；高さ領域
Ｍ  ；（縦ストライプ）模様
ＴＨａ１、ＴＨａ２、ＴＨｂ１、ＴＨｂ２；中心角度位置
【図１】
2010005990.tif 000003
【図２】
2010005990.tif 000004
【図３】
2010005990.tif 000005
【図４】
2010005990.tif 000006